(57)【要約】【課題】折り畳み式自転車に合わして収納または使用状態に切り替えることができる折り畳み式ペダルを提供すること。【解決手段】ペダル本体の上、下両側にそれぞれペダルが設置され、かつそのペダルは回し軸の方向に垂直してペダル本体に設けられ、使用者が自転車を乗る場合、そのペダルを引き倒して二枚のペダル間は互いに併合して緊密に接触し、使用者はその上で踏み回し、並びにクランクを回すことができる。使用者が自転車を折り畳んで収納する場合はそのペダルを回し開き、二枚のペダルは回し軸の方向と垂直状態になり、自転車のペダルの占める体積を減少して収納を便利する。【選択図】図１
2007237960.tif 000002
【特許請求の範囲】
【請求項１】
それの中央軸には回し軸（11）が設けられ、その回し軸（11）は自転車のクランクに連接することができるペダル本体（10）と、
それぞれペダル本体（10）の上下両側に設置され、かつそれらの一端は回し軸（11）の方向に垂直してペダル本体（10）に設けられ、それによってそれらは回動しながら開閉することができる二枚のペダル（20）（21）を含む、
折り畳み式ペダル。
【請求項２】
前記ペダル（20）（21）のペダル本体（10）に相対する一端は両側へそれぞれ側翼部（201）（211）が延伸して設けられ、かつそのペダル本体（10）の側辺個所にはそれぞれ回し軸（11）の軸心方向に垂直する軸孔（12）が設けられ、その側翼部（201）（211）には回転孔（202）（212）が設けられ、各回転孔（202）（212）内には同調歯車（22）（23）が設けられ、その回転孔（202）（212）には最少一つの溝孔（203）（213）が設けられ、かつその同調歯車（22）（23）の側辺は溝孔（203）（213）に対応してキー（221）（231）が突き出して設けられ、それによってその同調歯車（22）（23）は回転孔（202）（212）内に嵌め込み固定でき、かつその同調歯車（22）（23）は軸方向に軸（24）の取り付けに供される歯車孔（223）（233）が設けられ、二枚のペダル（20）（21）はその軸（24）をもって回転可能に構成した、請求項１に記載の折り畳み式ペダル。
【請求項３】
前記折り畳み式ペダルは更に同調定位置セット（30）が含まれ、その同調定位置セット（30）は最少そのペダル本体（10）の一側に概して矩形に現れる中空の枠である定位置枠（31）が設けられ、その定位置枠（31）の内側縁の上下面にはそれぞれ上、下ラック（341）（351）が設けられてあり、その定位置枠（31）はペダル本体（10）の側辺個所に設けられ、並びに二つの側翼部（201）（211）間の軸（24）に取り付けられ、その側翼部（201）（211）の定位置枠（31）に対応する個所は定位置枠（31）内へ同調歯車（22）（23）が突き出して設けられ、その同調歯車（22）（23）の局部には複数の回転歯（222）（232）が設けられてそれぞれ上、下ラック（341）（351）に噛み合わせて構成した、請求項２に記載の折り畳み式ペダル。
【請求項４】
前記ペダル本体（10）の両側にはそれぞれストッパー（13）が設けられ、そのストッパー（13）は定位置枠（31）の取り付けに供され、かつ定位置枠（31）の内側縁の上下面はストッパーに対応して突起（321）（331）が設けられ、更にその側翼部（201）（211）の後端には回し定位置塊（204）（214）が突き出して設けられ、その回し定位置塊（204）（214）はストッパー（13）と回動位置の制限作用を成すように構成した、請求項３に記載の折り畳み式ペダル。
【発明の詳細な説明】
【技術分野】
【０００１】
本発明は自転車のペダルに関するもので、更に詳しく言えば特にペダルの構造を指したもので、そのペダル本体には上、下二つのペダルが設けられ、かつその上、下二つのペダル間は可動に回して開閉し、収納または使用状態に切り替えることができる折り畳み式ペダルに関するものである。
【背景技術】
【０００２】
自転車は日常生活の中で常に見られる交通器具である。外出時の携帯便利のため、多くの種類の違う折り畳み式自転車が市販されている。それの主要は自転車本体に多個所の活動ジョイントが設けられ、それによってその自転車本体を折り畳み、自転車の体積とサイズを縮小する。
ところが自転車のペダルの水平軸は車体に設けられ、かつ自転車本体の外側に突き出しているので、自転車本体を折り畳むとその折り畳み収納に影響する。
【発明の開示】
【発明が解決しようとする課題】
【０００３】
本発明の主要な目的はそのペダル本体には上、下二つのペダルが設けられ、かつその上、下二つのペダル間を可動に回して開閉できると共に、収納または使用状態に切り替えできる、折り畳み式ペダルを提供することにある。
【課題を解決するための手段】
【０００４】
本発明が課題を解決する技術手段は次のものを含む。
ペダル本体：そのペダル本体の中央には回し軸が設けられ、その回し軸は自転車のクランクに連接することができる。
ペダル：そのペダルはそれぞれペダル本体の上、下両側に設置され、かつペダルの一端は回し軸の方向に垂直してペダル本体に設けられ、それによって二枚のペダル間は回動しながら開閉することができる。
【０００５】
本発明はペダル本体の上、下両側にそれぞれペダルが設置され、かつそのペダルは回し軸の方向に垂直してペダル本体に設けられ、使用者が自転車を乗る場合、そのペダルを引き倒して二枚のペダル間は互いに併合して緊密に接触し、使用者はその上で踏み回し、並びにクランクを回すことができる。使用者が自転車を折り畳んで収納する場合はそのペダルを回し開き、二枚のペダルは回し軸の方向と垂直状態になり、自転車のペダルの占める体積を減少して収納を便利する。
【０００６】
すなわち、本願の第１発明は、中央に設けられた回し軸（11）が自転車のクランクに連接するペダル本体（10）と、それぞれペダル本体（10）の上下両側に設置された二枚のペダル（20）（21）を含み、前記二枚のペダル（20）（21）の一端が回し軸（11）の方向に垂直してペダル本体（10）に対し開閉するように回動可能に設けたことを特徴とする、折り畳み式ペダルを提供する。
本願の第２発明は、前記ペダル（20）（21）のペダル本体（10）に相対向する一端には、両側へ夫々側翼部（201）（211）が延伸して設けられ、かつそのペダル本体（10）の側辺箇所には夫々回し軸（11）の軸心と直交する方向に向けて軸孔（12）が設けられ、その側翼部（201）（211）には回転孔（202）（212）が設けられ、各回転孔（202）（212）内には同調歯車（22）（23）が設けられ、その回転孔（202）（212）には最少一つの溝孔（203）（213）が設けられ、かつその同調歯車（22）（23）の側辺は溝孔（203）（213）に対応してキー（221）（231）が突き出して設けられ、それによってその同調歯車（22）（23）は回転孔（202）（212）内に嵌め込み固定でき、かつその同調歯車（22）（23）は軸方向に軸（24）の取り付けに供される歯車孔（223）（233）が設けられ、二枚のペダル（20）（21）はその軸（24）をもって回転可能に構成した、前記第１発明に記載の折り畳み式ペダルを提供する。
本願の第３発明は、前記折り畳み式ペダルは更に同調定位置セット（30）が含まれ、その同調定位置セット（30）は最少そのペダル本体（10）の一側に概して矩形に現れる中空の枠である定位置枠（31）が設けられ、その定位置枠（31）の内側縁の上下面にはそれぞれ上、下ラック（341）（351）が設けられてあり、その定位置枠（31）はペダル本体（10）の側辺個所に設けられ、並びに二つの側翼部（201）（211）間の軸（24）に取り付けられ、その側翼部（201）（211）の定位置枠（31）に対応する個所は定位置枠（31）内へ同調歯車（22）（23）が突き出して設けられ、その同調歯車（22）（23）の局部には複数の回転歯（222）（232）が設けられてそれぞれ上、下ラック（341）（351）に噛み合わせて構成した、前記第２発明に記載の折り畳み式ペダルを提供する。
本願の第４発明は、前記ペダル本体（10）の両側にはそれぞれストッパー（13）が設けられ、そのストッパー（13）は定位置枠（31）の取り付けに供され、かつ定位置枠（31）の内側縁の上下面はストッパーに対応して突起（321）（331）が設けられ、更にその側翼部（201）（211）の後端には回し定位置塊（204）（214）が突き出して設けられ、その回し定位置塊（204）（214）はストッパー（13）と回動位置の制限作用を成すように構成した、前記第３発明に記載の折り畳み式ペダルを提供する。
【発明の効果】
【０００７】
本発明はペダル本体（10）に取り付けてあるペダル（20）（21）により、それを引き倒し互いに併合して緊密に接触させることで、使用者はそれの上で踏み回し、並びにクランクを回すことができる。
または二枚のペダル（20）（21）を回して開いた二枚のペダル（20）（21）は回し軸（11）の方向と垂直状態になり、自転車のペダルの占める体積を減少できるので収納するうえで大変便利である。
【発明を実施するための最良の形態】
【０００８】
図１及び図２に示すように、本発明の折り畳み式ペダルの主要はペダル本体（10）、二枚のペダル（20）（21）、および同調定位置セット（30）を含む。
【０００９】
ペダル本体（10）の中央軸には回し軸（11）が設けられ、その回し軸（11）は自転車のクランクに連接することができ、かつペダル本体（10）の側辺個所にはそれぞれ回し軸（11）の軸心方向に垂直する軸孔（12）が設けられてある。
またそのペダル本体（10）の両側にはストッパー（13）が突き出して設けられている。
【００１０】
二枚のペダル（20）（21）はそれぞれペダル本体（10）の上下両側に設置され、かつそのペダル（20）（21）のペダル本体（10）に相対する一端は両側へそれぞれ側翼部（201）（211）が延伸して設けられ、その側翼部（201）（211）にはそれぞれ回転孔（202）（212）が設けられている。
その回転孔（202）（212）には最少一つの溝孔（203）（213）が設けられてある。
その回転孔（202）（212）は同調歯車（22）（23）の嵌め込み取り付けに供することができ、かつその同調歯車（22）（23）の側辺は溝孔（203）（213）に対応してキー（221）（231）が突き出して設けられている。
それによってその同調歯車（22）（23）は回転孔（202）（212）内に嵌め込み固定することができる。
その同調歯車（22）（23）の周縁個所には局部的に複数の回転歯（222）（232）が設けられ、かつその同調歯車（22）（23）は軸方向に歯車孔（223）（233）が設けられ、その歯車孔（223）（233）は軸孔（12）に取り付けられる軸（24）の貫通に供され、かつその二つの同調歯車（22）（23）は対向に設置される。
また、側翼部（201）（211）の後端には回し定位置塊（204）（214）が突き出して設けられ、その回し定位置塊（204）（214）はストッパー（13）と回し位置制限の作用を形成することができる。
【００１１】
同調定位置セット（30）は最少そのペダル本体（10）の一側に概して矩形に現れる中空の枠である定位置枠（31）が設けられている。
その定位置枠（31）の内側縁の頂上面及び底面にはそれぞれスライド段（32）（33）及びラック段（34）（35）が含まれ、その頂上面及び底面のラック段（34）（35）の定位置枠（31）の内縁個所には複数の上ラック（341）及び下ラック（351）が設けられてある。
【００１２】
定位置枠（31）のスライド段（32）（33）はペダル本体（10）のストッパー（13）個所に取り付けられ、かつラック段（34）（35）は二つのペダル（20）（21）の同調歯車（22）（23）に取り付けられ、並びにその上、下ラック（341）（351）はそれぞれ回転歯（222）（232）に噛み合わしている。
更に、その定位置枠（31）のスライド段（32）（33）はストッパー（13）に対応してそれぞれ突起（321）（331）が設けられてあり、かつその定位置枠（31）他側に相対する側翼部（201）（211）間には軸受けスリーブ36）が設けられ、その軸受けスリーブ（36）の両端はそれぞれ二枚のペダル（20）（21）の回転孔（202）（212）内に取り付けられてある。
【００１３】
使用者が自転車を乗る場合、そのペダル（20）（21）を引き倒して二枚のペダル（20）（21）間を互いに併合して緊密に接触させる（図２に示す如く）。
この場合、二枚のペダル（20）（21）は回し軸（11）の軸心方向と水平状態に現れて使用者はその上で踏み回し、並びにクランクを回すことができる。
使用者が自転車を折り畳んで収納する場合はそのペダル（20）（21）を回し開き（図３に示す如く）、二枚のペダル（20）（21）は回し軸の方向と垂直状態になり、自転車のペダルの占める体積を減少して収納を便利する。
【００１４】
更に、図４に示す如く、その定位置枠（31）のスライド段（32）（33）はペダル本体（10）のストッパー（13）個所に取り付けられ、かつその定位置枠（31）はストッパー（13）に於いて前後にスライドすることができる。
ラック段（34）（35）は二つのペダル（20）（21）の同調歯車（22）（23）に取り付けられ、その二つのペダル（20）（21）の同調歯車（22）（23）は対向して設置されてある。
【００１５】
回転歯（222）（232）の厚さは概してラックの厚さの半分に等しく、かつその同調歯車（22）の周縁個所は局部に回転歯（222）が設けられてあるので、その定位置枠（31）の上、下ラック（341）（351）はそれぞれ上側ペダル（20）及び下側ペダル（21）の回転歯（222）（232）に噛み合わしている。
【００１６】
図５に示す如く、その同調歯車（22）の回転歯（222）は定位置枠（31）の上ラック（341）と互いに噛み合わしている。
図6に示す如く、使用者が上側のペダル（20）を垂直状態に引き動かした場合、その同調歯車（22）はペダル（20）に伴って回転し、並びに回転歯（222）と上ラック（341）の噛み合わせによって定位置枠（31）は動かされて図面に示す矢印方向へスライドする。
【００１７】
図７に示す如く、その同調歯車（23）の回転歯（232）は定位置枠（31）の下ラック（351）と互いに噛み合わしている。
図８に示す如く、使用者が下側のペダル（21）を垂直状態に折り下げた場合、その同調歯車（23）はペダル（21）に伴って回転し、並びに回転歯（232）と下ラック（351）の噛み合わせによって定位置枠（31）は動かされて図面に示す矢印方向へスライドする。
【００１８】
これにより、使用者が上側のペダル（20）または下側のペダル（21）の一つを引き動かすと、同調歯車（22）（23）と定位置枠（31）の噛み合わせによって同時に別のペダル（20）（21）を動かして作動することができ、上、下側のペダル（20）（21）が同調して作動する目的が達成される。
【００１９】
図５及び図６に示す如く、定位置枠（31）はプラスチック、ＦＲＰまたは金属かで形成でき、定位置枠（31）には多少の弾性変形性能があるので、ペダル（20）（21）が水平または垂直状態に現れた場合、突起（321）（331）はストッパー（13）の側辺に当たってペダル（20）（21）の緩みを防ぐことができる。
ペダル（20）（21）を引き動かすと定位置枠（31）は力によって開いて変形し、突起（321）（331）はスムーズにストッパー（13）を通りこすことができる。
【００２０】
図４に示す如く、ペダル（20）（21）が緊密に併合して使用者の踏み回しに供されると、側翼部（201）（211）後端の回し定位置塊（204）（214）は力を受けてストッパー（13）に当たる。
そのためにペダル（20）（21）が受けられる力は大幅に増え、ペダル（20）（21）に充分な強度があることが確保される。
【００２１】
本発明の各装置組は対称に設置されているので、同調定位置セット（30）の定位置枠（31）、同調歯車（22）（23）及び軸受けスリーブ（36）等部品の組み付け位置を変えるだけで、自転車の左右両側のペダルの使用に供することができ、左右両方に対して違う金型を作る必要がなく、製造コストを大幅に削減することができる。
【００２２】
以上は本発明の最適な実施例について説明したが、本発明の技術的思想の範囲を離脱しない範囲で各種の違う形式に適用したり変更したりする形態を含むものである。
【図面の簡単な説明】
【００２３】
【図１】本発明の立体分解図である。
【図２】本発明の立体組み合わせ図である。
【図３】本発明の収納状態の立体意表図である。
【図４】本発明の同調定位置セットの作動意表図(一)である。
【図５】本発明の上側ペダルの作動意表図(一)である。
【図６】本発明の上側ペダルの作動意表図(二)である。
【図７】本発明の下側ペダルの作動意表図(一)である。
【図８】本発明の下側ペダルの作動意表図(二)である。
【図９】本発明の同調定位置セットの作動意表図(二)である。
【符号の説明】
【００２４】
１０・・・・・・・ペダル本体
１１・・・・・・・回し軸
１２・・・・・・・軸孔
１３・・・・・・・ストッパー
２０，２１・・・・ペダル
２０１，２１１・・側翼部
２０２，２１２・・回転孔
２０３，２１３・・溝孔
２０４，２１４・・回し定位置塊
２２，２３・・・・同調歯車
２２１，２３１・・キー
２２２，２３２・・回転歯
２２３，２３３・・歯車孔
２４・・・・・・・軸
３０・・・・・・・同調定位置セット
３１・・・・・・・定位置枠
３２，３３・・・・スライド段
３２１，３３１・・突起
３４，３５・・・・ラック段
３４１・・・・・・上ラック
３５１・・・・・・下ラック
３６・・・・・・・軸受けスリーブ
【図１】
2007237960.tif 000003
【図２】
2007237960.tif 000004
【図３】
2007237960.tif 000005
【図４】
2007237960.tif 000006
【図５】
2007237960.tif 000007
【図６】
2007237960.tif 000008
【図７】
2007237960.tif 000009
【図８】
2007237960.tif 000010
【図９】
2007237960.tif 000011